(57)【要約】【課題】内三つ折り専用の紙折り機において、自動連続給紙モードと手差し給紙モードとを切替え可能とする。【解決手段】手差し切替えレバー１４を手前に倒すと、手差し給紙モードが選択される。手差し給紙モードで、手差し給紙口１０ｂに用紙を入れ、スタートボタンを押下すると、スタートスイッチがオンとなるので、ＭＰＵは、モータに通電して、減速歯車機構を介してピックアップローラ２４，メインローラ２５，フィードローラ２６，フォールドローラ２７およびフィードローラ２８を回転させる。これにより、メインローラ２５，フィードローラ２６間に用紙が巻き込まれて送られ、紙折りがスタートされる。【選択図】図１４
2006248713.tif 000002
【特許請求の範囲】
【請求項１】
用紙を内三つ折りにする紙折り機において、
用紙をまとめてセットする自動給紙口と、
用紙を手差しで給紙する手差し給紙口と、
前記自動給紙口に用紙をセットして紙折りを開始したときに用紙を１枚ずつ連続的に給紙する自動連続給紙モードと、前記手差し給紙口に用紙を挿入して紙折りを開始したときに該用紙だけを給紙する手差し給紙モードとを切り替える手差し切替え機構と
を有することを特徴とする紙折り機。
【請求項２】
前記手差し切替え機構が、手差し切替え部材と、手差し切替えスイッチと、前記手差し切替え部材が手差し給紙モードの選択位置に設定されたときに前記手差し切替えスイッチを切り替えるペーパーベースとを含む請求項１記載の紙折り機。
【請求項３】
前記自動連続給紙モードで、用紙が排出口から連続的に排出される連続排紙状態と、用紙が１枚ごとに排出口で自動的に停止し、該用紙が排出口から取り出されると次の用紙の給紙が開始される間欠排紙状態とを選択する排出切替え機構を備える請求項１または２記載の紙折り機。
【請求項４】
前記排出切替え機構が、用紙を排出口に導くペーパー排出ガイドと、前記排出口に用紙があるかどうかを感知する排紙センサと、排出切替え部材と、前記排出切替え部材が間欠排紙状態の選択位置に設定されたときに前記ペーパー排出ガイド内に進入して用紙の前記排出口からの落下を阻止する排出切替えリンクとを含むことを特徴とする請求項３記載の紙折り機。
【請求項５】
用紙を内三つ折りにする紙折り機において、
用紙が通過する折りステージ内で用紙をぶつけて折り位置を決める部材を、内三つ折りの３辺の長さを均等にする位置と、内三つ折りの１辺のみを長くする位置とに切り替える折り切替え機構を備えることを特徴とする紙折り機。
【請求項６】
前記折り切替え機構は、用紙をぶつけて折り位置を決めるストッパーを有する折りステージと、前記折りステージ内に進退可能であるストッパーを有する折り切替え部材とを含む請求項５記載の紙折り機。
【請求項７】
断面Ｌ字状の同一形状を有する一対のペーパーサポートガイドを備え、該一対のペーパーサポートガイドの取り付け方向を変えることにより、異なる用紙サイズの用紙に対応できるようにしたことを特徴とするペーパーサポート。
【請求項８】
前記異なる用紙サイズが、Ａサイズと、レターサイズとである請求項７記載の紙折り機。
【発明の詳細な説明】
【技術分野】
【０００１】
本発明は紙折り機およびペーパーサポートに関し、例えばレター，チラシ，カタログ等の用紙を折り畳む際に用いて好適な内三つ折り専用の紙折り機およびペーパーサポートに関する。
【背景技術】
【０００２】
従来の内三つ折り専用の紙折り機では、小型という制約に伴って、手差し給紙口または自動給紙口のどちらか一方しか備えられていなかった（例えば、特許文献１等参照）。手差し給紙口しか備えられていない紙折り機では、用紙を１枚折るたびに次の用紙を手差し給紙口に挿入する必要があった。
【０００３】
一方、自動給紙口が備えられている紙折り機では、用紙が１枚ずつ給紙され、折られた用紙は、排出口で止まらずに排出され、給紙，紙折り，排出を繰り返し、用紙がなくなったならば停止するようになっていた。
【０００４】
また、従来の内三つ折り専用の紙折り機では、Ａ４サイズ（幅２１０ｍｍ）の用紙を使用する国内向けの仕様と、いわゆるレターサイズ（幅２１５．９ｍｍ）の用紙を使用する海外向けの仕様とを切り替えるために、折り寸法を変更するためのストッパーとなる部材を有していたが、これを仕向地ごとにネジ等で固定していた。
【０００５】
さらに、従来の内三つ折り専用の紙折り機では、Ａ４サイズの用紙に対応したり、レターサイズの用紙に対応したりするために、用紙サイズに合った別個のペーパーサポートを用紙サイズごとに交換して使用するか、ペーパーサポートにスライド式のペーパーサポートガイドを設けて用紙サイズに応じてスライドさせて使用するかしなければならなかった。
【特許文献１】特開平６−１５６８６９号公報（第２−３頁、図１）
【発明の開示】
【発明が解決しようとする課題】
【０００６】
従来の内三つ折り専用の紙折り機では、手差し給紙口または自動給紙口のどちらか一方しか備えられていなかったので、自動給紙口が備えられている紙折り機では、手差し給紙口が備えられている紙折り機にはできる、複数枚重ねた用紙をまとめて紙折りすることや、厚手の用紙を紙折りすることができないという問題点があった。このため、紙折りするローラ部は共通で、自動給紙口と手差し給紙口との２箇所を備えるためには、自動給紙口と手差し給紙口とを内部で区別することが必要になるという課題があった。
【０００７】
また、自動給紙口が備えられている紙折り機では、用紙が１枚ずつ給紙され、折られた用紙は、排出口で止まらずに排出され、給紙，紙折り，排出を繰り返し、用紙がなくなったならば停止するようになっていたので、折られた用紙が排出トレーや机の上に折り重なるように堆積し、用紙を多数の封筒に連続的に封入する際には、一々、用紙の山に目をやって折られた用紙を１つずつ手にとってから封入する必要があるという不具合が生じていた。このため、折られた用紙を連続的に排出せずに、排出口で取り易い状態で一旦停止させ、排出口から用紙を取り出したならば、次の用紙の折りが開始されるという間欠排紙も行えるようにすることが要望されていた。しかし、このためには、連続排紙と間欠排紙とを容易に切り替える構造にしなければならないという課題があった。
【０００８】
さらに、従来の内三つ折り専用の紙折り機では、折り寸法を変更するためのストッパーとなる部材がネジ等で固定され、ユーザが折り寸法を簡単に変更することはできなかったので、ユーザが簡単な操作で折り寸法を変更できる構造が必要になるという課題があった。例えば、日本で主に使用されているＡ４サイズ（長さ２９７ｍｍ）の用紙は、折り寸法が均等となる内三つ折りにした場合、幅が約９９ｍｍとなり、これは定形郵便として広く用いられている長形３号の封筒の幅１２０ｍｍに比べて大幅に小さく、このため、内三つ折りにした用紙を長形３号の封筒に封入した場合には、用紙が封筒の中で移動する（暴れる）という問題を引き起こしていた。特に、宛名書きをした面を表側にして内三つ折りにした用紙を窓空きの長形３号の封筒に封入した場合、宛名が窓からずれて住所，名前等の一部が欠けて見えるという不具合があった。このことからも、ユーザが簡単な操作で用紙の折り寸法を変更できるようにすることが要請されていた。
【０００９】
さらにまた、従来の内三つ折り専用の紙折り機では、Ａ４サイズの用紙に対応したり、レターサイズの用紙に対応したりするために、用紙サイズに合った別個のペーパーサポートを用紙サイズごとに交換して使用するか、ペーパーサポートにスライド式のペーパーサポートガイドを設けて用紙サイズに応じてスライドさせていたので、ペーパーサポートの製造コストが上昇するとともに、取扱いも面倒であるという問題点があった。
【００１０】
本発明の第１の目的は、用紙を内三つ折りにする紙折り機において、用紙をまとめてセットする自動給紙口と、用紙を手差しで給紙する手差し給紙口とを設け、自動連続給紙モードと手差し給紙モードとを切り替えることができるようにした紙折り機を提供することにある。
【００１１】
本発明の第２の目的は、自動連続給紙モードで、用紙が排出口から連続的に排出される連続排紙状態と、用紙が１枚ごとに排出口で自動的に停止し、該用紙が排出口から取り出されると次の用紙の給紙が開始される間欠排紙状態とを選択できるようにした紙折り機を提供することにある。
【００１２】
本発明の第３の目的は、用紙を内三つ折りにする紙折り機において、内三つ折りの３辺の長さを均等にする通常の内三つ折りと、内三つ折りの１辺のみを長くする別の内三つ折り（以下、内三つ折りプラスという）とを選択的に切り替えられるようにした紙折り機を提供することにある。
【００１３】
本発明の第４の目的は、断面Ｌ字状の同一形状を有する一対のペーパーサポートガイドを取り付ける向きを変えることにより、異なる用紙サイズの用紙に対応することができるようにしたペーパーサポートを提供することにある。
【課題を解決するための手段および発明の効果】
【００１４】
請求項１記載の紙折り機は、用紙を内三つ折りにする紙折り機において、用紙をまとめてセットする自動給紙口と、用紙を手差しで給紙する手差し給紙口と、前記自動給紙口に用紙をセットして紙折りを開始したときに用紙を１枚ずつ連続的に給紙する自動連続給紙モードと、前記手差し給紙口に用紙を挿入して紙折りを開始したときに該用紙だけを給紙する手差し給紙モードとを切り替える手差し切替え部材とを有することを特徴とする。請求項１記載の紙折り機によれば、自動連続給紙モードでは１回の操作で用紙の紙折りが連続的にできる一方、手差し給紙モードでは１枚または複数枚重ねた用紙および自動給紙ができない厚手の紙質の用紙などの紙折りが可能となり、いままでは別々の紙折り機で行っていたことが１台の紙折り機でできるようになって使用用途が広がるという利点がある。
【００１５】
請求項２記載の紙折り機は、前記手差し切替え機構が、手差し切替え部材と、手差し切替えスイッチと、前記手差し切替え部材が手差し給紙モードの選択位置に設定されたときに前記手差し切替えスイッチを切り替えるペーパーベースとを含む。請求項２記載の紙折り機は、手差し切替え部材の切替えによって手差し切替えスイッチが切り替えられるようにしたので、自動給紙モードから手差し給紙モードへの切替えを確実に検知することができる。
【００１６】
請求項３記載の紙折り機は、前記自動連続給紙モードで、用紙が排出口から連続的に排出される連続排紙状態と、用紙が１枚ごとに排出口で自動的に停止し、該用紙が排出口から取り出されると次の用紙の給紙が開始される間欠排紙状態とを選択する排出切替え機構を備えることを特徴とする。請求項３記載の紙折り機によれば、連続排紙された用紙の山の中から必要な用紙を探し出してきて封筒に封入する作業を、間欠排紙にすることにより、１枚ずつ確認しながらできるようになる。このため、用紙を探し出す手間が省けるとともに、封筒への入れ間違いを防ぐことができ、封入作業の効率を上げることができる。
【００１７】
請求項４記載の紙折り機は、前記排出切替え機構が、用紙を排出口に導くペーパー排出ガイドと、前記排出口に用紙があるかどうかを感知する排紙センサと、排出切替え部材と、前記排出切替え部材が間欠排紙状態の選択位置に設定されたときに前記ペーパー排出ガイド内に進入して用紙の前記排出口からの落下を阻止する排出切替えリンクとを含むことを特徴とする。請求項４記載の紙折り機によれば、間欠排紙状態では、用紙を１枚ごとに排出口で機械的に停止させるようにしただけなので、間欠排紙状態での排出口からの用紙の取り出しと、連続排紙状態での排出口からの用紙の落下とを電気的に区別する必要がなくなり、電気的な制御回路が簡単になるとともに電気的な制御も容易になるという利点がある。
【００１８】
請求項５記載の紙折り機は、用紙を内三つ折りにする紙折り機において、用紙が通過する折りステージ内で用紙をぶつけて折り位置を決める部材を、内三つ折りの３辺の長さを均等にする位置と、内三つ折りの１辺のみを長くする位置とに切り替える折り切替え機構を備えることを特徴とする。請求項５記載の紙折り機によれば、３辺が均等になる内三つ折りでは、折られた用紙が長形３号の封筒内で動いてしまい、用紙に宛名を書いて長形３号の窓空き封筒に封入しても宛名が窓からずれてしまい、名前や住所の一部が隠れてしまうおそれがあるが、用紙の折りの一辺を長くした内三つ折りプラスを可能にすることにより、封筒内で用紙が動かないようになり、用紙に記入した宛名が窓空き封筒の窓からずれないようにすることができる。
【００１９】
請求項６記載の紙折り機は、前記折り切替え機構が、用紙をぶつけて折り位置を決めるストッパーを有する折りステージと、前記折りステージ内に進退可能であるストッパーを有する折り切替え部材とを含む。請求項６記載の紙折り機によれば、ストッパーを有する折りステージに対して、他のストッパーを有する折り切替え部材を付設するようにしたので、機械的に簡単な機構で、ユーザが内三つ折りと内三つ折りプラスとを容易に切り替えることができるようになる。
【００２０】
請求項７記載の紙折り機は、断面Ｌ字状の同一形状を有する一対のペーパーサポートガイドを備え、該一対のペーパーサポートガイドの取り付け方向を変えることにより、異なる用紙サイズの用紙に対応できるようにしたことを特徴とする。請求項７記載の紙折り機によれば、ペーパーサポートに取り付けるペーパーサポートガイドの取り付け方向を変更するだけで、異なる用紙サイズの用紙に対応することができる。
【００２１】
請求項８記載の紙折り機は、前記異なる用紙サイズが、Ａサイズと、レターサイズとである。請求項８記載の紙折り機によれば、ユーザが、使用する用紙を、Ａ４サイズの用紙とレターサイズの用紙との間で容易に切り替えることができるという利点がある。
【発明を実施するための最良の形態】
【００２２】
自動連続給紙モードを選択した場合には、自動給紙口に用紙をセットして紙折りをスタートさせると、用紙が無くなるまで自動給紙し、紙折りし、排紙して、停止する。自動連続給紙モードでは、さらに連続排紙と間欠排紙とを選択することができる。手差し給紙モードを選択した場合には、手差し給紙口に用紙を挿入しスタートさせると、この用紙を紙折りして停止する。
【実施例１】
【００２３】
以下、本発明の実施例１に係る紙折り機について図面を用いて説明する。
【００２４】
図１および図２は、本発明の実施例１に係る紙折り機１の正面図および平面図である。また、図３（ａ），（ｂ）および（ｃ）は、紙折り機１の右側面図，要部背面図および要部下面図である。さらに、図４，図５，図６および図７は、紙折り機１の透過正面図，透過左側面図，透過右側面図および透過平面図である。さらにまた、図８および図９は、紙折り機本体１０の上端部寄り位置での水平断面図および下端部寄りでの位置での水平断面図である。
【００２５】
紙折り機１は、図１に示すように、紙折り機本体１０と、紙折り機本体１０に斜め上後方から着脱自在に取り付けられるペーパーサポート６０とから、その主要部が構成されている。
【００２６】
紙折り機本体１０は、図５に示すように、ボトムカバー１１と、トップカバー１２と、フロントカバー１３とで囲まれた筐体でなる。フロントカバー１３は、ボトムカバー１１に対して開閉自在に嵌め合わされて取り付けられている。フロントカバー１３を取り外してボトムカバー１１の切欠開口部を開放することにより、紙折り機本体１０内で用紙が詰まった等の故障の発生時に詰まった用紙を外に取り出すことが可能となる。なお、フロントカバー１３が取り外された状態では、フロントカバーオープンスイッチＳＷ４（図４参照）がこれを感知して、モータＭへの通電を行わないようになっている。
【００２７】
図２に示すように、紙折り機本体１０の上面であるトップカバー１２の後端寄りに自動給紙口１０ａが穿設されているとともに、トップカバー１２の中程には手差し給紙口１０ｂが穿設されている。また、トップカバー１２とフロントカバー１３との間隙は、排出口１０ｃとなっている。
【００２８】
図４に示すように、紙折り機本体１０の自動給紙口１０ａの正面から見て右端寄り（以下、左右は正面から見たときの左右方向を原則とする）には、自動給紙口１０ａに用紙をセットして紙折りを開始すると用紙を１枚ずつ連続的に給紙する自動連続給紙モードと、手差し給紙口１０ｂに用紙を挿入して紙折りを開始するとその用紙だけを給紙する手差し給紙モードとを切り替える手差し切替えレバー１４が支軸６２（図６参照）を中心として前後に揺動可能に突設されている。
【００２９】
図２に示すように、紙折り機本体１０の上面であるトップカバー１２の前方右端寄りには、紙折りを開始させるためのスタートボタン１５と、紙折りを終了させたり、エラー状態をリセットしたりするためのストップボタン１６と、電源のオンを表示するための電源ランプＬＰ１と、紙詰まり等のエラーの発生を表示するためのエラーランプＬＰ２とが配設されている。スタートボタン１５に連動するスタートスイッチＳＷ１，およびストップボタン１６に連動するストップスイッチＳＷ２は、オペレーションボード１１０（図１９参照）に搭載されている。また、電源ランプＬＰ１およびエラーランプＬＰ２は、ＬＥＤ（Light Emitting Diode）等で形成されていて、同じくオペレーションボード１１０に搭載されている。
【００３０】
図３（ａ）に示すように、紙折り機本体１０の右側面の上部中程には、自動連続給紙モードにおいて、折られた用紙が排出口１０ｃから連続的に排出される連続排紙状態と、折られた用紙が１枚ごとに排出口１０ｃで自動的に停止し、その用紙が排出口１０ｃから取り出されると次の用紙の給紙が開始される間欠排紙状態とを選択する排出切替えダイヤル１７が回転操作可能に突設されている。
【００３１】
図３（ｂ）に示すように、紙折り機本体１０の背面の右端寄りには、紙折り機本体１０への電源のオン／オフを切り替える電源スイッチＳＷ３と、電源ケーブルを介して家庭用１００Ｖ電源等に接続されるインレット７０とが設けられている。
【００３２】
図３（ｃ）に示すように、紙折り機本体１０の底面の後方右端寄りには用紙が通過する第一折りステージ３０（図６参照）内で用紙をぶつけて折り位置を決める部材を、内三つ折りの３辺の長さを均等にする第一紙折りステージ３０のストッパー３０ａ（図６参照）とするか、内三つ折りの１辺のみを長くする折り切替えレバー１９のストッパー１９ａ（図６参照）とするかを切り替える折り切替えレバー１９が設けられている。
【００３３】
図４に示すように、紙折り機本体１０内の左右両端寄りには、左サイドフレーム２１と、右サイドフレーム２２とが、垂直方向に立てられて相対向するように配設されている。左サイドフレーム２１の左側面側には、図５に示すように、紙折り機本体１０内の下面壁内側の左端寄りに配置されたモータＭの回転駆動軸を、ピックアップローラ２４，メインローラ２５，フィードローラ２６，フォールドローラ２７およびフィードローラ２８（図６参照）の回転軸にそれぞれ連結する減速歯車機構２３が配設されている。また、図４に示すように、右サイドフレーム２２の右側面側には、既述した排紙切替えダイヤル１７が回動操作可能に配設されている。
【００３４】
図７に示すように、左サイドフレーム２１と、右サイドフレーム２２との間には、ピックアップローラ２４，メインローラ２５，フィードローラ２６，フォールドローラ２７およびフィードローラ２８が回転可能に架設させているとともに、第一折りステージ３０，第２折りステージ４０，ペーパー排出ガイド５１，排出切替えリンク５２等が配設されている。なお、符号２４ａ，２４ｂは、ピックアップローラ２４と同軸的に取り付けられた補助ローラを示す。
【００３５】
図６に示すように、第一紙折りステージ３０は、２枚の板体が、用紙が挿通するだけの狭い間隙を介して対向されて形成されており、一方の板体の下端部が直角に折り曲げられて内三つ折りの紙折り位置を規定するストッパー３０ａとなっている。第一紙折りステージ３０は、上端部がメインローラ２５とフィードローラ２６との対接部に対向し、下端部がボトムカバー１１の下方後端隅部に対向するように、斜めに傾けられて配設されている。
【００３６】
図６に示すように、第一紙折りステージ３０の一方の板体の下端部寄りには、折り切替え部材レバー１９が揺動自在に配設されていて、折り切替えレバー１９に突設されたストッパー１９ａが第一紙折りステージ３０に穿設された開口部に嵌入し得るようになっている。すなわち、ストッパー１９ａが、内三つ折りプラスの紙折り位置を規定する部材となっている。詳しくは、図１５に示すように、折り切替えレバー１９の下端操作部を後方側にシフトさせた位置では、内三つ折りが選択され、用紙の先端は第一紙折りステージ３０のストッパー３０ａで規制されて折り長さが「Ａ」（＝約９９ｍｍ）となる。一方、図１６に示すように、折り切替えレバー１９の下端操作部を前方側にシフトさせた位置では、内三つ折りプラスが選択されるようになっており、用紙の先端は折り切替えレバー１９のストッパー１９ａで規制されて折り長さが「Ｂ」（＝約８３ｍｍ）となる。このように、折り切替えレバー１９の下端操作部のシフト位置を変更することにより、用紙の折り寸法が変更できるようになっている。なお、折り切替えレバー１９の下端操作部は、後方側および前方側のシフト位置で、ボトムカバー１１に穿設された長孔内の突起によってクリックストップされるようになっている。
【００３７】
図６に示すように、第二紙折りステージ４０も、２枚の湾曲板体を用紙を挿通するだけの狭い間隙を介して対向させて形成されており、一方の湾曲板体の下端部が直角に折り曲げられて紙折り位置を規定するストッパー４０ａとなっている。第二紙折りステージ４０は、上端部がメインローラ２５とフォールドローラ２７との対接部に対向し、下端部がボトムカバー１１の下方前端隅部に対向するように、斜めに傾けられて配設されている。第二紙折りステージ４０を、Ｓ字状に湾曲した２枚の湾曲板体で形成したのは、湾曲板体とすることによって、全体の長さを短くし、紙折り機本体１０の前後方向のサイズを小さくできるようにしたためである。第二紙折りステージ４０の湾曲に沿った長さは、約１０２ｍｍである。
【００３８】
図６に示すように、紙折り機本体１０には、ペーパーサポート６０が、斜め上後方から着脱自在に取り付けられている。詳しくは、紙折り機本体１０のトップカバー１３の自動給紙口１０ａには、左サイドフレーム２１および右サイドフレーム２２に両端部を軸支された支軸６２が架設されており、同支軸６２には、手差し切替えレバー１４の下端部およびペーパーサポートベース６３の上端部が揺動自在に軸支されている。ペーパーサポートベース６３は、図示しない弾性手段により、支軸６２を中心として図６で見て時計回りに旋回するように付勢されている。そして、ペーパーサポートベース６３には、ペーパーサポート６０の下方突出片６０ｃ（図１７参照）が嵌入されて固定されるようになっている。また、ペーパーサポートベース６３には、支軸６５が植設されており、同支軸６５には断面逆くの字型をしたペーパーベース６４が揺動自在に軸支されている。ペーパーベース６４は、図示しない弾性手段により、支軸６５を中心として図６で見て時計回りに旋回するように付勢されている。また、ペーパーベース６４の上端部は支軸６２の外周カム面に係合されており、下端部は手差し切替えスイッチＳＷ５のアクチュエータに係合し得るようになっている。さらに、ペーパーベース６４の下端寄り上面には分離パッド６６が貼設されていて、分離パッド６６はピックアップローラ２４に圧接するように付勢されている。また、ペーパーベース６４に穿設された透孔（図示せず）には、自動給紙センサＳＳ１のアクチュエータが延出されている。このため、ペーパーサポート６０に用紙がセットされている場合には、自動給紙センサＳＳ１が用紙を感知して、オンまたはオフになるようになっている。
【００３９】
図１０および図１１は、ペーパーサポート６０への用紙のセットを説明する要部側断面図である。自動連続給紙モードでは、ユーザがペーパーサポート６０を図１０中の矢印で示す手前側に傾けると、ペーパーサポートベース６３が支軸６２を中心として反時計方向に旋回し、ペーパサポートベース６３とピックアップローラ２４との間の隙間が空いて、自動給紙口１０ａに最大２０枚まで用紙を入れることができるようになる。ユーザが２０枚以下の用紙の下端を自動給紙口１０ａに入れて手を離すと、図１１に示すように、ペーパーサポートベース６３およびペーパーサポート６０は図示しない弾性手段の復元弾力により後方側の元位置に復動し、用紙がペーパーサポート６０にセットされ、ピックアップローラ２４に対接される。
【００４０】
図１２および図１３は、間欠排紙状態および連続排紙状態のときに内三つ折りされて排出された用紙の状態を説明する要部側断面図である。排出切替えダイヤル１７は、右サイドフレーム２２の右側面側に回転操作可能に軸着されており、カム部材１７ａが固定されている。ペーパー排出ガイド５１は、断面つの字状の湾曲板体で形成され、右下隅辺をメインローラ２５とフィードローラ２８との対接部に対向させ、左上隅辺を排出口１０ｃに対向させて配設されている。ペーパー排出ガイド５１を湾曲板体で形成したのは、内三つ折りされた用紙の端部が引っ掛からずにスムーズに排出されるようにするためである。排出切替えリンク５２は、メインローラ２５の回転軸の両端部に両端下垂片が軸着されており、図示しない弾性手段によりメインローラ２５の回転軸を中心として図１２で見て時計回りの方向に旋回するように付勢されている。図１２に示す排出切替えダイヤル１７が間欠排紙選択位置（垂直位置）となっている間欠排紙状態では、排出切替えダイヤル１７に固定されたカム部材１７ａが排出切替えリンク５２に係合して、排出切替えリンク５２がペーパー排出ガイド５１から突出するようになっている。図１３に示す排出切替えダイヤル１７が連続排紙選択位置となっている連続排紙状態では、排出切替えダイヤル１７のカム部材１７ａが排出切替えリンク５２から退避して、排出切替えリンク５２がペーパー排出ガイド５１外に退出するようになっている。
【００４１】
図１４は、手差し給紙モードでの用紙の挿入経路を説明する要部側断面図である。ペーパーサポート６０に用紙がセットされていない状態から、図１４に示すように、手差し切替えレバー１４を前方に傾斜する手差し選択位置に操作すると、手差し給紙モードとなる。なお、ペーパーサポート６０に用紙がセットされている状態では、用紙の存在によって手差し切替えレバー１４の手差し選択位置への操作そのものができない。手差し給紙モードでは、支軸６２の外周カム面がペーパーベース６４の上方端部を押し動かして、ペーパーベース６４が支軸６５を中心に図示しない弾性手段の付勢力に抗して反時計回りに旋回し、分離パッド６６をピックアップローラ２４から離間させるとともに、手差し切替えスイッチＳＷ５をオンする。また、このペーパーベース６４の旋回位置では、ペーパーベース６４により自動給紙口１０ａが塞がれて自動給紙口１０ａから給紙ができない状態となるとともに、自動給紙センサＳＳ１もオフする。したがって、ユーザは、用紙の下端部を手差し給紙口１０ｂに挿入して用紙をセットする。すると、用紙の下端部は、メインローラ２５とフィードローラ２６との当接部位まで至り、手差し給紙される状態となる。
【００４２】
紙折り機１では、内三つ折り、および内三つ折りプラスの２種類の折り方で用紙を折ることができる。
【００４３】
図１５は、紙折りの種類が内三つ折りの場合の折り位置を説明する要部側断面図である。図１５に示すように、折り切替えレバー１９の下端操作部を後方位置にすると、第一折りステージ３０のストッパー３０ａまで用紙が送られ、用紙は「Ａ」（＝約９９ｍｍ）寸法で折られる。「Ａ」寸法で折られた場合は、用紙は、折られた３つの部分の３つの辺の長さがほぼ揃った内三つ折りで折られることになる。
【００４４】
図１６は、紙折りの種類が内三つ折りプラスの場合の折り位置を説明する要部側断面図である。図１６に示すように、折り切替えレバー１９の下端操作部を前方位置にすると、ペーパーサポートガイド６２の途中に折り切替えレバー１９のストッパー１９ａが入り込み、当該ストッパー１９ａの位置で送られた用紙が止まり、用紙は「Ｂ」（＝約８３ｍｍ）寸法で折られる。「Ｂ」寸法で折られた場合は、用紙は、折られた３つの部分の３つの辺の内、１辺が長くなった内三つ折りプラスで折られることになる。
【００４５】
紙折り機１では、Ａ４サイズ（幅２１０ｍｍ）の用紙と、レターサイズ（幅２１５．９ｍｍ）の用紙とを使い分けることができる。
【００４６】
図１７および図１８は、ペーパーサポート６０にペーパーサポートガイド６１を取り付ける向きを変えることにより、Ａ４サイズおよびレターサイズの用紙に対応することを説明する図である。図１７および図１８に示すように、ペーパーサポート６０には、パーパーサポートガイド６１が着脱自在に取り付けられるようになっている。ペーパーサポート６０は、横長の長方形板体で形成されおり、左右の両端縁寄りには、パーパーサポートガイド６１を取り付けるための嵌合溝６０ａおよび一対の係合孔６０ｂが穿設されている。また、ペーパーサポート６０の下端縁からは、ペーパーサポート６０をペーパーサポートベース６３に嵌合して取り付けるための突出片６０ｃが突設されている。パーパーサポートガイド６１は、ペーパーサポート６０の嵌合溝６０ａに嵌合する幅狭の水平片６１ａと、同水平片６１ａの一端縁から垂直に立ち上げられ垂直片６１ｂと、水平片６１ａの下面両端部から突設され、ペーパーサポート６０の一対の係合孔６０ｂに係合される一対の係合片６１ｃとから形成されている。ペーパーサポート６０の嵌合溝６０ａも、パーパーサポートガイド６１も長手方向に対称に形成されているので、同一のパーパーサポートガイド６１を長手方向に反転させることにより、ペーパーサポート６０の左右のどちらの嵌合溝６０ａにも嵌合できるようになっている。さらに、同じペーパーサイドガイド６１を、左右逆にして入れ替える、もしくは上下を逆にして入れ替えることによって、図１７に示すように、Ａ４サイズ（幅２１０ｍｍ）の用紙をガイドするようにも、図１８に示すように、レターサイズ（幅２１５．９ｍｍ）の用紙をガイドするようにもすることができる。
【００４７】
図１９は、本実施例１に係る紙折り機１の電気系統を示す回路ブロック図である。本実施例１に係る紙折り機１の電気系統には、メインボード１００と、オペレーションボード１１０と、モータＭと、自動給紙センサＳＳ１と、排紙センサＳＳ２と、フロントカバーオープンスイッチＳＷ４と、手差し切替えスイッチＳＷ５と、トランス１２０と、電源スイッチＳＷ３と、ヒューズ１２０と、インレット７０とが含まれている。メインボード１００には、ＭＰＵ（Micro Processing Unit）１０１と、ＲＯＭ（Read Only Memory）１０２と、ＲＡＭ（Random Access Memory）１０３とが搭載されている。ＭＰＵ１０１は、紙折り機１の動作を制御する。ＲＯＭ１０２は、ＭＰＵ１０１上で動作する紙折り機１の制御プログラム（図２０，図２１参照）を格納する。なお、ＭＰＵ１０１，ＲＯＭ１０２およびＲＡＭ１０３は、１チップのマイクロコンピュータで形成されていてもよい。オペレーションボード１１０には、スタートボタン１５の押下によってオン／オフするスタートスイッチＳＷ１と、ストップボタン１６の押下によってオン／オフするストップスイッチＳＷ２と、電源ランプＬＰ１と、エラーランプＬＰ２とが搭載されている。
【００４８】
図２０および図２１は、本実施例１に係る紙折り機１におけるＭＰＵ１０１の制御プログラム処理を示すフローチャートである。ＭＰＵ１０１は、紙折り機１の動作中に確認されたエラーを、発生したエラー原因により、エラーコードを付けて処理する。そして、エラーコードに応じてエラーランプＬＰ２の点灯パターンを変化させて、ユーザに知らせる。具体的には、正常時にはエラーコード０、デューティ比０％、周期０ｍｓ、緊急停止時にはエラーコード−１、デューティ比１００％、周期０ｍｓ、カバーオープン時には、エラーコード−２、デューティ比７５％、周期０．５２ｍｓ、自動給紙モードの用紙無し時にはエラーコード−３、デューティ比５０％、周期０．２６ｍｓ、手差し給紙モードの用紙有り時にはエラーコード−４、デューティ比５０％、周期０．２６ｍｓ、紙詰り時にはエラーコード−５、デューティ比５０％、周期０．５２ｍｓ、タイムアウト時にはエラーコード−６、デューティ比５０％、周期０．５２ｍｓ、電源エラー時にはエラーコード−７、デューティ比７５％、周期０．５２ｍｓとする。なお、エラーの同時発生の場合には、高優先順位のエラーコードが設定される。待ち状態で発生するエラーの優先順位順は、電源エラー、カバーオープン、紙詰り、排出センサオン、手差し給紙モードでの用紙有り、自動給紙モードでの用紙無しの順である。給紙状態で発生するエラーの優先順位順は、緊急停止エラー、電源エラー、カバーオープン、タイムアウトの順である。排紙状態で発生するエラーの優先順位順は、緊急停止エラー、電源エラー、カバーオープンの順である。取出状態で発生するエラーの優先順位順は、電源エラー、カバーオープンの順である。
【００４９】
次に、このように構成された本実施例１に係る紙折り機１の動作を、（１）自動連続給紙モード，（２）手差し給紙モードとの２つの場合に分けて説明する。
【００５０】
（１）  自動連続給紙モードの動作
【００５１】
図１１に示すように、手差し切替えレバー１４がペーパーサポート６０に沿った後方旋回位置にあるときには、自動連続給紙モードが選択される。
【００５２】
自動連続給紙モードにおいては、さらに、排出切替えダイヤル１７を切り替えることにより、ユーザは、間欠排紙状態と連続排紙状態とのいずれか一方を選択することができる。詳しくは、図１２に示すように、排出切替えダイヤル１７を間欠排紙状態選択位置（垂直位置）に設定すると、カム部材１７ａが左旋して、排出切替えリンク５２をメインローラ２５の回転軸を中心として回動させてペーパー排出ガイド５１内に進入させ、折られた用紙が自重で排出口１０ｃから落下するのを防止する間欠排紙状態となる。また、図１３に示すように、排出切替えダイヤル１７を連続排紙状態選択位置（左旋位置）に設定すると、カム部材１７ａが右旋して、排出切替えリンク５２がメインローラ２５の回転軸を中心として復動してペーパー排出ガイド５１内から退出し、折られた用紙が自重で排出口１０ｃから自重で落下する連続排紙状態となる。
【００５３】
自動連続給紙モードで、電源スイッチＳＷ３がオンされると、電気系統に電源が投入され、ＭＰＵ１０１は、ＲＡＭ１０３の初期化，ＲＯＭ１０２にある制御プログラムのロード，電源ランプＬＰ１の点灯等の初期設定を行う（ステップＡ１０１）。この時点で、ペーパーサポート６０に用紙がセットされていなければ、自動給紙センサＳＳ１が用紙を感知しないので、ＭＰＵ１０１は、エラーランプＬＰ２を点灯させる。エラーランプＬＰ２の点灯を見て、ユーザが用紙をペーパーサポート６０にセットすると、自動給紙センサＳＳ１が用紙を感知する。
【００５４】
初期設定の完了後、ＭＰＵ１０１は、メインループを開始し、ボタン入力（押下）待ちとなる（ステップＡ１０２）。
【００５５】
ここで、ユーザがストップボタン１６を押下すると（ステップＡ１０３；ＹＥＳ）、ストップスイッチＳＷ２がオンするので、ＭＰＵ１０１は、設定済のエラーコードのクリアを行う（ステップＡ１０４）。これにより、エラーランプＬＰ２の点灯後に、ユーザがペーパーサポート６０に用紙をセットした等のエラー解消操作をしていた場合には、ＭＰＵ１０１は、エラーランプＬＰ２を消灯する。
【００５６】
エラーコードのクリアの後、またはボタン入力待ちとなってから所定時間内にストップボタン１６が押下されなければ（ステップＡ１０３；ＮＯ）、ステップＡ１０４をスキップした後、ＭＰＵ１０１は、スタートボタン１５の入力（押下）を判断する（ステップＡ１０５）。スタートボタン１５が押下されなければ、ＭＰＵ１０１は、ステップＡ１０２に制御を戻す。
【００５７】
ステップＡ１０５でユーザがスタートボタン１５を押下すると（ステップＡ１０５；ＹＥＳ）、スタートスイッチＳＷ１がオンするので、ＭＰＵ１０１は、紙折りループを開始する。すなわち、ＭＰＵ１０１は、まず、モータＭに通電を行うことにより、紙折り機１の起動を行う（ステップＡ１０６）。
【００５８】
起動後、ＭＰＵ１０１は、エラーが発生したかどうかを判断する（ステップＡ１０７）。すなわち、紙詰まりがないか、電源電圧の低下がないか等のエラーの発生がないかどうかを判断する。ここで、エラーが発生した場合には（ステップＡ１０７；ＹＥＳ）、ＭＰＵ１０１は、ステップＡ１１７に制御を移す。例えば、ペーパーサポート６０に用紙が無い状態で、ユーザがスタートボタン１５を押下すると（ステップＡ１０５；ＹＥＳ）、自動給紙センサＳＳ１が用紙を感知していないので、ＭＰＵ１０１は、エラーと判断し（ステップＡ１０７；ＹＥＳ）、ステップＡ１１７に制御を移す。
【００５９】
エラーが発生しなければ（ステップＡ１０７；ＮＯ）、ＭＰＵ１０１は、モータＭへの通電を継続し、減速歯車機構２３を介してピックアップローラ２４，メインローラ２５，フィードローラ２６，フォールドローラ２７およびフィードローラ２８を回転させ、紙送りを開始する（ステップＡ１０８）。
【００６０】
紙送り開始後、ＭＰＵ１０１は、エラーが発生したかどうかを判断する（ステップＡ１０９）。すなわち、紙詰まりがないか、電源電圧の低下がないか等のエラーの発生がないかどうかを判断する。ここで、エラーが発生した場合には（ステップＡ１０９；ＹＥＳ）、ＭＰＵ１０１は、ステップＡ１１７に制御を移す。
【００６１】
エラーが発生していなければ（ステップＡ１０９；ＮＯ）、ピックアップローラ２４が回転することにより、ピックアップローラ２４と分離パッド６６により用紙が１枚分離されて、メインローラ２５とフィードローラ２６との対接部位に送り込まれる。詳しくは、図１５に示すように、用紙はピックアップローラ２４と分離パッド６６とによってピックアップされ、メインローラ２５およびフィードローラ２６によって第一紙折りステージ３０に送り込まれる。
【００６２】
このとき、内三つ折りが選択されていれば、用紙は第一紙折りステージ３０のストッパー３０ａに突き当たり、メインローラ２５，フォールドローラ２７間でたわむ。また、内三つ折りプラスが選択されていれば、用紙は折り切替えレバー１９のストッパー１９ａに突き当たり、メインローラ２５，フォールドローラ２７間でたわむ。
【００６３】
次に、たわんだ用紙は、メインローラ２５，フォールドローラ２７間に引き込まれて、二つ折りの状態で第二紙折りステージ４０に送り込まれ、第二紙折りステージ４０のストッパー４０ａに突き当たり、メインローラ２５，フィードローラ２８間でたわむ。続いて、二つ折り状態でたわんだ用紙は、メインローラ２５，フィードローラ２８間に引き込まれて、三つ折りの状態で、パーパー排出ガイド５１を介して排出口１０ｃに排出される（ステップＡ１１０）。
【００６４】
排紙後、ＭＰＵ１０１は、エラーが発生したかどうかを判断する（ステップＡ１１１）。すなわち、紙詰まりがないか、電源電圧の低下がないか等のエラーの発生がないかどうかを判断する。ここで、エラーが発生した場合には（ステップＡ１１１；ＹＥＳ）、ＭＰＵ１０１は、ステップＡ１１７に制御を移す。
【００６５】
排紙時、図１２に示すように、間欠排紙状態が選択されていれば、折られた用紙は、ペーパー排出ガイド５１内に進入した排出切替えリンク５２，トップカバー１２およびフロントカバー１３によって押さえられて、排出口１０ｃで停止する。これにより、排紙センサＳＳ２が排出口１０ｃに三つ折りされた用紙があることを感知するので、ＭＰＵ１０１は、モータＭへの通電を停止し、減速歯車機構２３を介してピックアップローラ２４，メインローラ２５，フィードローラ２６，フォールドローラ２７およびフィードローラ２８の回転を停止させる（ステップＡ１１２）。
【００６６】
また、図１３に示すように、連続排紙状態が選択されていれば、折られた用紙は、ペーパー排出ガイド５１を通過し、排出口１０ｃから自重によって落下する。このとき、排紙センサＳＳ２が排出口１０ｃに三つ折りされた用紙があることを一時的に感知するので、ＭＰＵ１０１は、モータＭへの通電を停止し、減速歯車機構２３を介してピックアップローラ２４，メインローラ２５，フィードローラ２６，フォールドローラ２７およびフィードローラ２８の回転を停止させる（ステップＡ１１２）。
【００６７】
停止後、ＭＰＵ１０１は、自動連続給紙モードであるか手差し給紙モードであるかを判断し（ステップＡ１１３）、自動連続給紙モードであるので（ステップＡ１１３；自動）、排出口１０ｃから用紙が自重で落下するか、ユーザが折られた用紙を取り出すかするのを待機する（ステップＡ１１４）。
【００６８】
排出口１０ｃから用紙が自重で落下するか、ユーザが折られた用紙を取り出すかすると、ＭＰＵ１０１は、エラーが発生したかどうかを判断する（ステップＡ１１５）。すなわち、紙詰まりがないか、電源電圧の低下がないか等のエラーの発生がないかどうかを判断する。ここで、エラーが発生した場合には（ステップＡ１１５；ＹＥＳ）、ＭＰＵ１０１は、ステップＡ１１７に制御を移す。
【００６９】
エラー発生がなければ（ステップＡ１１５；ＮＯ）、ＭＰＵ１０１は、自動給紙センサＳＳ１のオン／オフに基づいてペーパーサポート６０に用紙が有るか無いかを判断し（ステップＡ１１６）、ペーパーサポート６０に用紙が有れば（ステップＡ１１６；用紙有）、ステップＡ１０６に制御を戻して、次の用紙の給紙，紙折りおよび排紙を繰り返す。
【００７０】
ペーパーサポート６０に用紙が無ければ（ステップＡ１１６；用紙無）、ＭＰＵ１０１は、紙折りループを終了し、ステップＡ１１７に制御を移す。
【００７１】
ステップ１１７では、ＭＰＵ１０１は、ステップＡ１０７，Ａ１０９，Ａ１１１またはＡ１１５のいずれのステップから制御が分岐してきたかに応じて、エラーコードを設定する。ただし、エラーがない場合には、正常を示すエラーコードを設定する。ＭＰＵ１０１は、設定されたエラーコードに応じたデューティ比および周期でエラーランプＬＰ２の点灯（点滅）を行う。
【００７２】
エラーコードの設定後、ＭＰＵ１０１は、モータＭへの通電が行われていれば、モータＭへの通電を停止し、減速歯車機構２３を介してピックアップローラ２４，メインローラ２５，フィードローラ２６，フォールドローラ２７およびフィードローラ２８の回転を停止させる（ステップＡ１１８）。この後、ＭＰＵ１０１は、メインループを一旦終了させ、ステップＡ１０２に制御を戻し、次のメインループを開始する。
【００７３】
（２）  手差し給紙モードの動作
【００７４】
図１４に示すように、ユーザが、ペーパーサポート６０に用紙がセットされてない状態で手差し切替えレバー１４を手前側に倒すと、手差し切替えレバー１４が支軸６２を中心として旋回して支軸６２の外周カム面がペーパーベース６４を支軸６５を中心として若干回動させる。これにより、自動給紙口１０ａが閉成され、分離パッド６６がピックアップローラ２４から離れるとともに、手差し切替えスイッチＳＷ５が感知し、手差し給紙モードが選択される。
【００７５】
手差し給紙モードでは、ユーザは、最大３枚までの重なった用紙や自動連続給紙モードでは折ることができない厚手の用紙の下端部を手差し給紙口１０ｂに入れることができる。
【００７６】
手差し給紙口１０ｂに用紙がセットされ、電源スイッチＳＷ３がオンされると、電気系統に電源が供給され、ＭＰＵ１０１は、ＲＡＭ１０３の初期化，ＲＯＭ１０２にある制御プログラムのロード，電源ランプＬＰ１の点灯等の初期設定を行う（ステップＡ１０１）。
【００７７】
初期設定の完了後、ＭＰＵ１０１は、メインループを開始し、ボタン入力（押下）待ちとなる（ステップＡ１０２）。
【００７８】
ここで、ユーザがストップボタン１６を押下すると（ステップＡ１０３；ＹＥＳ）、ストップスイッチＳＷ２がオンするので、ＭＰＵ１０１は、設定済のエラーコードのクリアを行う（ステップＡ１０４）。エラーコードのクリアにより、エラーランプＬＰ２の点灯後にユーザがエラー解消操作をした場合には、エラーランプＬＰ２が消灯される。
【００７９】
エラーコードのクリアの後、またはボタン入力待ちとなってから所定時間内にストップボタン１６が押下されなければ（ステップＡ１０３；ＮＯ）、ステップＡ１０４をスキップした後、ＭＰＵ１０１は、スタートボタン１５の入力（押下）を判断する（ステップＡ１０５）。スタートボタン１５が押下されなければ、ＭＰＵ１０１は、ステップＡ１０２に制御を戻す。
【００８０】
ステップＡ１０５でユーザがスタートボタン１５を押下すると（ステップＡ１０５；ＹＥＳ）、スタートスイッチＳＷ１がオンするので、ＭＰＵ１０１は、紙折りループを開始する。すなわち、ＭＰＵ１０１は、まず、モータＭに通電を行うことにより、紙折り機１の起動を行う（ステップＡ１０６）。
【００８１】
起動後、ＭＰＵ１０１は、紙詰まりがないか、電源電圧の低下がないか等のエラーの発生がないかどうかを判断する（ステップＡ１０７）。ここで、エラーが発生した場合には（ステップＡ１０７；ＹＥＳ）、ＭＰＵ１０１は、ステップＡ１１７に制御を移す。
【００８２】
エラーが発生しなければ（ステップＡ１０７；ＮＯ）、ＭＰＵ１０１は、モータＭへの通電を継続し、減速歯車機構２３を介してピックアップローラ２４，メインローラ２５，フィードローラ２６，フォールドローラ２７およびフィードローラ２８を回転させ、紙送りを開始する（ステップＡ１０８）。
【００８３】
紙送り開始後、ＭＰＵ１０１は、エラーが発生したかどうかを判断する（ステップＡ１０９）。すなわち、紙詰まりがないか、電源電圧の低下がないか等のエラーの発生がないかどうかを判断する。ここで、エラーが発生した場合には（ステップＡ１０９；ＹＥＳ）、ＭＰＵ１０１は、ステップＡ１１７に制御を移す。
【００８４】
エラーが発生していなければ（ステップＡ１０９；ＮＯ）、メインローラ２５およびフィードローラ２６が回転することにより、手差しされている用紙がメインローラ２５とフィードローラ２６との間に巻き込まれ、図１４に示すように、メインローラ２５およびフィードローラ２６によって第一紙折りステージ３０に送り込まれる。
【００８５】
このとき、内三つ折りが選択されていれば、用紙は第一紙折りステージ３０のストッパー３０ａに突き当たり、メインローラ２５，フォールドローラ２７間でたわむ。また、内三つ折りプラスが選択されていれば、用紙は折り切替えレバー１９のストッパー１９ａに突き当たり、メインローラ２５，フォールドローラ２７間でたわむ。
【００８６】
次に、たわんだ用紙は、メインローラ２５，フォールドローラ２７間に引き込まれて、二つ折りの状態で第二紙折りステージ４０に送り込まれ、第二紙折りステージ４０のストッパー４０ａに突き当たり、メインローラ２５，フィードローラ２８間でたわむ。続いて、二つ折り状態でたわんだ用紙は、メインローラ２５，フィードローラ２８間に引き込まれて、三つ折りの状態で、パーパー排出ガイド５１を介して排出口１０ｃに排出される（ステップＡ１１０）。
【００８７】
排紙後、ＭＰＵ１０１は、エラーが発生したかどうかを判断する（ステップＡ１１１）。すなわち、紙詰まりがないか、電源電圧の低下がないか等のエラーの発生がないかどうかを判断する。ここで、エラーが発生した場合には（ステップＡ１１１；ＹＥＳ）、ＭＰＵ１０１は、ステップＡ１１７に制御を移す。
【００８８】
排紙時、図１２に示すように、間欠排紙状態が選択されていれば、折られた用紙は、ペーパー排出ガイド５１内に進入した排出切替えリンク５２，トップカバー１２およびフロントカバー１３によって押さえられて、排出口１０ｃで停止する。これにより、排紙センサＳＳ２が排出口１０ｃに三つ折りされた用紙があることを感知するので、ＭＰＵ１０１は、モータＭへの通電を停止し、減速歯車機構２３を介してピックアップローラ２４，メインローラ２５，フィードローラ２６，フォールドローラ２７およびフィードローラ２８の回転を停止させる（ステップＡ１１２）。
【００８９】
また、図１３に示すように、連続排紙状態が選択されていれば、折られた用紙は、ペーパー排出ガイド５１を通過し、排出口１０ｃから自重によって落下する。このとき、排紙センサＳＳ２が排出口１０ｃに三つ折りされた用紙があることを一時的に感知するので、ＭＰＵ１０１は、モータＭへの通電を停止し、減速歯車機構２３を介してピックアップローラ２４，メインローラ２５，フィードローラ２６，フォールドローラ２７およびフィードローラ２８の回転を停止させる（ステップＡ１１２）。
【００９０】
停止後、ＭＰＵ１０１は、自動連続給紙モードであるか手差し給紙モードであるかを判断し（ステップＡ１１３）、手差し給紙モードであるので（ステップＡ１１３；手差し）、ステップＡ１１７に制御を移す。
【００９１】
ステップ１１７では、ＭＰＵ１０１は、ステップＡ１０７，Ａ１０９またはＡ１１１のいずれのステップから制御が分岐してきたかに応じて、エラーコードを設定する。ただし、エラーがない場合には、正常を示すエラーコードを設定する。ＭＰＵ１０１は、設定されたエラーコードに応じたデューティ比および周期でエラーランプＬＰ２の点灯（点滅）を行う。
【００９２】
エラーコードの設定後、ＭＰＵ１０１は、モータＭへの通電が行われていれば、モータＭへの通電を停止し、減速歯車機構２３を介してピックアップローラ２４，メインローラ２５，フィードローラ２６，フォールドローラ２７およびフィードローラ２８の回転を停止させる（ステップＡ１１８）。この後、ＭＰＵ１０１は、メインループを一旦終了させ、ステップＡ１０２に制御を戻し、次のメインループを開始する。
【００９３】
このように、本実施例１によれば、内三つ折り専用の紙折り機において、自動給紙口１０ａに用紙をセットして紙折りをスタートさせると、用紙が無くなるまで自動給紙し、紙折りし、排紙して、停止する自動連続給紙モードと、手差し給紙口１０ｂに用紙を挿入しスタートさせると、この用紙を紙折りして停止する手差し給紙モードとを選択することができる。
【００９４】
また、自動連続給紙モードでは、さらに用紙が排出口１０ｃから連続的に排出される連続排紙状態と、用紙が１枚ごとに排出口１０ｃで自動的に停止し、この用紙が排出口１０ｃから取り出されると次の用紙の給紙が開始される間欠排紙状態とを選択することができる。
【００９５】
以上、本発明の実施の形態を説明したが、これらはあくまでも例示にすぎず、本発明はこれらに限定されるものではなく、特許請求の範囲の趣旨を逸脱しない限りにおいて、当業者の知識に基づく種々の変更が可能である。
【図面の簡単な説明】
【００９６】
【図１】本発明の実施例１に係る紙折り機の正面図。
【図２】本発明の実施例１に係る紙折り機の平面図。
【図３】（ａ），（ｂ）および（ｃ）は本発明の実施例１に係る紙折り機の右側面図、要部背面図、および要部底面図。
【図４】本発明の実施例１に係る紙折り機の透過正面図。
【図５】本発明の実施例１に係る紙折り機の透過左側面図。
【図６】本発明の実施例１に係る紙折り機の透過右側面図。
【図７】本発明の実施例１に係る紙折り機の透過平面図。
【図８】図１中の紙折り機本体の水平断面図。
【図９】図１中の紙折り機本体の水平断面図。
【図１０】図１中のペーパーサポートへの用紙のセットを説明する要部側断面図。
【図１１】図１中のペーパーサポートへの用紙のセットを説明する要部側断面図。
【図１２】間欠排紙状態のときに内三つ折りされて排出された用紙の状態を説明する要部側断面図。
【図１３】連続排紙状態のときに内三つ折りされて排出された用紙が自重で落下する状態を説明する要部側断面図。
【図１４】手差し給紙モードでの用紙の挿入経路を説明する要部側断面図。
【図１５】内三つ折りの場合の折り位置を説明する要部側断面図。
【図１６】内三つ折りプラスの場合の折り位置を説明する要部側断面図。
【図１７】Ａ４サイズの用紙に対応するようにペーパーサポートにペーパーサポートガイドを取り付けた場合の説明図。
【図１８】レターサイズの用紙に対応するようにペーパーサポートにペーパーサポートガイドを取り付けた場合の説明図。
【図１９】本実施例１に係る紙折り機の電気系統を示す回路ブロック図。
【図２０】本実施例１に係る紙折り機の動作を示すフローチャート。
【図２１】本実施例１に係る紙折り機の動作を示すフローチャート。
【符号の説明】
【００９７】
１  紙折り機
１０  紙折り機本体
１０ａ  自動給紙口
１０ｂ  手差し給紙口
１０ｃ  排出口
１４  手差し切替えレバー（手差し切替え部材）
１７  排出切替えダイヤル（排出切替え部材）
１９  折り切替えレバー（折り切替え部材）
１９ａ  ストッパー
２１  左サイドフレーム
２２  右サイドフレーム
２３  減速歯車機構
２４  メインローラ
２５  ピックアップローラ
２６，２８  フィードローラ
２７  フォールドローラ
３０  第一紙折りステージ
３０ａ  ストッパー
４０  第二紙折りステージ
５１  ペーパー排出ガイド
５２  排出切替えリンク
６０  ペーパーサポート
６１  ペーパーサポートガイド
６４  ペーパーバース
ＬＰ１  電源ランプ
ＬＰ２  エラーランプ
ＳＳ１  自動給紙センサ
ＳＳ２  排紙センサ
ＳＷ１  スタートスイッチ
ＳＷ２  ストップスイッチ
ＳＷ３  電源スイッチ
ＳＷ４  フロントカバーオープンスイッチ
ＳＷ５  手差し切替えスイッチ
【図１】
2006248713.tif 000003
【図２】
2006248713.tif 000004
【図３】
2006248713.tif 000005
【図４】
2006248713.tif 000006
【図５】
2006248713.tif 000007
【図６】
2006248713.tif 000008
【図７】
2006248713.tif 000009
【図８】
2006248713.tif 000010
【図９】
2006248713.tif 000011
【図１０】
2006248713.tif 000012
【図１１】
2006248713.tif 000013
【図１２】
2006248713.tif 000014
【図１３】
2006248713.tif 000015
【図１４】
2006248713.tif 000016
【図１５】
2006248713.tif 000017
【図１６】
2006248713.tif 000018
【図１７】
2006248713.tif 000019
【図１８】
2006248713.tif 000020
【図１９】
2006248713.tif 000021
【図２０】
2006248713.tif 000022
【図２１】
2006248713.tif 000023